(57)【要約】【課題】下側金具２０と上側金具４０との連結位置を変えて高さ調整を可能にした棟瓦の支持梁の支持金具１０において、現場での設置作業が容易な構造を提供する。【解決手段】下側金具２０の正面係止穴２７から突出する上側金具の４０の正面係止突起４４の先端部４４ｂを基端部４４ａから折り曲げて正面係止穴２７の下側端部に係止することにより、下側金具２０に対し上側金具４０が前後方向に変位しないように構成する。従来の支持金具のように釘１２を下側支柱２０Ｂの釘穴２３ｂと上側支柱４０Ｂの釘穴４２ａに挿通して釘１２の先端部を折り曲げる作業を必要としない。そのため、支持金具１０を棟に設置する作業が容易になる。【選択図】図２
2018188917.tif 000002
【特許請求の範囲】
【請求項１】
屋根の棟に固定される下側金具と、下側金具に連結される上側金具を備え、
下側金具は棟の両側に跨って野地板に固定される左右一対の脚片からなる脚部と、脚部から立設した下側支柱を有し、
上側金具は棟瓦を支持する棟瓦支持梁を支持する梁支持部と、梁支持部から垂設した上側支柱を有し、
下側支柱は正面と左右両側面から成り、左右両側面の背面側端部で縦長の嵌合口を区画形成したコ字形の断面形状を有し、
下側支柱の左右両側面の背面側端部に上下に並列した複数個のスリットと、各スリットから連続する側面係止穴を形成し、正面に上下に並列する複数個の正面係止穴を形成し、
上側支柱は正面と左右両側面を有し、
上側支柱の左右両側面に側面係止突起を設け、正面に正面係止突起を設け、
下側支柱の嵌合口に上側支柱を正面側から差し込んで嵌合し、このときスリットを通して側面係止突起を側面係止穴に係止し、正面係止突起を正面係止穴に係止することにより、下側金具に対し上側金具が上下方向に変位しないように両金具が連結される棟瓦支持梁の支持金具であって、
正面係止穴から突出する正面係止突起の先端部を折り曲げて正面係止穴の端部に係止することにより、下側金具に対し上側金具が前後方向に変位しないようにしたことを特徴とする棟瓦支持梁の支持金具。
【発明の詳細な説明】
【技術分野】
【０００１】
本発明は家屋の棟に敷設する棟瓦を支持する棟瓦支持梁を棟に設置する支持金具に関する。
【背景技術】
【０００２】
この種の支持金具の一形式として、特許第５４５３２０６号公報には下側金具と、下側金具に連結される上側金具を備えた支持金具が開示されている。
この支持金具の下側金具は棟の両側に跨って野地板に固定される脚片と、脚片から立設した下側支柱から成り、上側金具は棟瓦を支持する棟瓦支持梁を支持する梁支持部と、梁支持部から垂設した上側支柱から成る。
【０００３】
下側支持金具の下側支柱は正面と左右両側面から成り、左右両側面の背面側端部で縦長の嵌合口を区画形成したコ字形の断面形状を有する。そして、下側支柱の左右両側面の背面側端部に上下に並列した複数個のスリットと、各スリットから連続する側面係止穴が形成され、正面には上下に並列する複数個の正面係止穴が形成されている。
【０００４】
上側金具の上側支柱は正面と左右両側面を有し、上側支柱の左右両側面に側面係止突起が設けられ、正面には正面係止突起が設けられている。
【０００５】
下側支柱と上側支柱は、下側支柱の嵌合口に上側支柱を正面側から差し込んで嵌合し、このときスリットを通して側面係止突起を側面係止穴に係止し、正面係止突起を正面係止穴に係止することにより連結される。連結された下側支柱と上側支柱は、側面係止突起と側面係止穴との係止及び正面係止突起と正面係止穴との係止により、相対的に上下方向へ変位しないように連結される。そして、側面係止突起及び正面係止突起が係止される側面係止穴及び正面係止穴を選択することにより支持金具の高さを調整できる。
【先行技術文献】
【特許文献】
【０００６】
【特許文献１】特許第５４５３２０６号公報
【発明の概要】
【発明が解決しようとする課題】
【０００７】
上記した従来の支持金具では、下側支柱と上側支柱が、側面係止突起と側面係止穴との係止及び正面係止突起と正面係止穴との係止により、相対的に上下方向へ変位しないように連結されるので、調整した支持金具の高さが維持される。
また、正面側から下側支柱の嵌合口に差し込んだ上側支柱が前後方向へ変位するのを防止するため、下側支柱の側面と上側支柱の側面に釘穴を形成し、下側支柱の釘穴と上側支柱の釘穴に一本の釘を挿通し、釘の先端を折り曲げて両釘穴から釘が抜け落ちないようにしている。
このように、従来の支持金具では勾配があって足場の悪い棟で多数の釘を入れた釘袋を携帯し、釘袋から一本ずつ釘を取り出して、釘穴に釘を挿通し、その先端を折り曲げる面倒な作業が不可欠である。
本発明は係る問題点に鑑み、下側金具と上側金具との連結位置を変えて高さ調整を可能にした棟瓦の支持梁の支持金具において、現場での設置作業が容易な構造を提供することを目的とする。
【課題を解決するための手段】
【０００８】
本発明は、屋根の棟に固定される下側金具と、下側金具に連結される上側金具を備え、
下側金具は棟の両側に跨って野地板に固定される左右一対の脚片からなる脚部と、脚部から立設した下側支柱を有し、
上側金具は棟瓦を支持する棟瓦支持梁を支持する梁支持部と、梁支持部から垂設した上側支柱を有し、
下側支柱は正面と左右両側面から成り、左右両側面の背面側端部で縦長の嵌合口を区画形成したコ字形の断面形状を有し、
下側支柱の左右両側面の背面側端部に上下に並列した複数個のスリットと、各スリットから連続する側面係止穴を形成し、正面に上下に並列する複数個の正面係止穴を形成し、
上側支柱は正面と左右両側面を有し、
上側支柱の左右両側面に側面係止突起を設け、正面に正面係止突起を設け、
下側支柱の嵌合口に上側支柱を正面側から差し込んで嵌合し、このときスリットを通して側面係止突起を側面係止穴に係止し、正面係止突起を正面係止穴に係止することにより、下側金具に対し上側金具が上下方向に変位しないように両金具が連結される棟瓦支持梁の支持金具であって、
正面係止穴から突出する正面係止突起の先端部を折り曲げて正面係止穴の端部に係止することにより、下側金具に対し上側金具が前後方向に変位しないようにしたことを特徴とする。
【発明の効果】
【０００９】
本発明によれば、正面係止穴から突出する正面係止突起の先端部を折り曲げて正面係止穴の端部に係止することにより、下側金具に対し上側金具が前後方向に変位しないようにしたので、従来の支持金具のように釘を釘穴に挿通して釘の先端部を折り曲げる作業を必要としない。そのため、支持金具を棟に設置する作業が容易になる。
【図面の簡単な説明】
【００１０】
【図１】本発明の実施例に係る棟瓦支持梁の支持金具を示す分解斜視図である。
【図２】同棟瓦支持梁の支持金具を示す斜視図である。
【図３】同棟瓦支持梁の支持金具のスリットと側面係止突起を示す部分拡大斜視図である。
【図４】同棟瓦支持梁の支持金具のスリットと側面係止突起を示す部分拡大斜視図である。
【図５】同棟瓦支持梁の正面係止突起を示す部分拡大斜視図である。
【実施例】
【００１１】
以下に本発明を図面に基づき説明する。図１及び図２には本発明の一実施例に係る棟瓦支持梁の支持金具１０が示されている。当該支持金具１０は屋根の棟に固定される下側金具２０と、下側金具２０に連結される上側金具４０を備えている。
【００１２】
下側金具２０は棟の両側に跨って野地板に固定される左右一対の脚片２１からなる脚部２０Ａと、脚部２０Ａから立設した下側支柱２０Ｂを備えている。また、上側金具４０は棟瓦を支持する棟瓦支持梁１１を支持する梁支持部４０Ａと、梁支持部４０Ａから垂設した上側支柱４０Ｂを備えている。
【００１３】
下側金具２０下側支柱２０Ｂは正面２２と左右両側面２３から成り、左右両側面２３の背面側端部２３ａで縦長の嵌合口２４を区画形成したコ字形の断面形状を有する。下側支柱２０Ｂの左右両側面２３の背面側端部２３ａには上下に等間隔で並列した複数個のスリット２５と側面係止穴２６が形成されている。
【００１４】
図３及び図４に示すように、スリット２５は背面側端部２３ａから内側へ延びる幅の狭いスリット２５ａと、幅の狭いスリット２５ａから連続する幅の広い矩形スリット２５ｂから成り、側面係止穴２６は幅の広い矩形スリット２５ｂの前端部の下側角隅部から前方へ延びている。そして、幅の広い矩形スリット２５ｂの後端部には側面係止部２５ｃが設けられている。また、下側支柱２０Ｂの正面２２にはスリット２５と同じ等間隔で上下に並列する矩形の正面係止穴２７が形成されている。
【００１５】
上側支柱４０Ｂは正面４１と左右両側面４２を有する。上側支柱４０Ｂの左右両側面４２の下部には２個の側面係止突起４３が設けられ、正面４１の下部には２個の正面係止突起４４，４５が設けられている。図３及び図４に示すように側面係止突起４３の前後両端部には係止部４３ａが設けられている。また、図５に示すように、正面係止突起４４の基端部４４ａは先端部４４ｂに比べ幅が狭く形成されている。脚片２１、下側支柱２０Ｂの側面２３、上側支柱４０Ｂの側面４２、梁支持部４０Ａにはそれぞれ釘穴２１ａ，２３ｂ，４２ａ，４０ａが形成されている。
【００１６】
本実施例に係る棟瓦支持梁の支持金具１０の構造は以上の通りであって、次にその使用方法を説明する。下側支柱２０Ｂの嵌合口２４に上側支柱４０Ｂを正面４１側から差し込んで嵌合し、このときスリット２５の幅の狭いスリット２５ａを通して側面係止突起４３を幅の広いスリット２５ｂの底部に落とし込み、続いて側面係止突起４３の前側の係止部４３ａを下側支柱２０Ｂの側面係止穴２６に係止する。同時に、正面係止突起４４，４５を正面係止穴２７に係止する。そして、正面係止穴２７から突出する正面係止突起４４の先端部４４ｂを基端部４４ａから下側へ折り曲げて正面係止穴２７の端部に係止する。このようにして、下側金具２０と上側金具４０を一体的に連結し、脚片２１の釘穴２１ａに釘を打ち込んで支持金具１０を棟の野地板に固定し、梁支持部４０Ａで棟瓦支持梁１１を支持し、釘穴４０ａに釘を打ち込んで棟瓦支持梁１１を固定する。
【００１７】
本実施例に係る棟瓦支持梁の支持金１０具によれば、下側金具２０の正面係止穴２７から突出する上側金具の４０の正面係止突起４４の先端部４４ｂを基端部４４ａから折り曲げて正面係止穴２７の下側端部に係止することにより、下側金具２０に対し上側金具４０が前後方向に変位しないようにしたので、従来の支持金具のように釘１２を下側支柱２０Ｂの釘穴２３ｂと上側支柱４０Ｂの釘穴４２ａに挿通して釘１２の先端部を折り曲げる作業を必要としない。そのため、支持金具１０を棟に設置する作業が容易になる。
【００１８】
本実施例に係る棟瓦支持梁の支持金具１０では、２個の正面係止突起４４，４５のうち上側の正面係止突起４４の先端部４４ｂを折り曲げて正面係止穴２７の下端部に係止したが、下側の正面係止突起４５を折り曲げて正面係止穴２７の端部に係止してもよく、また両方の正面係止突起４４，４５を正面係止穴の端部に係止してもよい。
【符号の説明】
【００１９】
１０…棟瓦支持梁の支持金具
１１…棟瓦支持梁
１２…釘
２０…下側金具
２０Ａ…脚部
２０Ｂ…下側支柱
２１…脚片
２２…正面
２３…側面
２３ａ…背面側端部
２４…嵌合口
２５…スリット
２６…側面係止穴
２７…正面係止穴
４０…上側金具
４０Ａ…梁支持部
４０Ｂ…上側支柱
４１…正面
４２…側面
４３…側面係止突起
４４，４５…正面係止突起
【図１】
2018188917.tif 000003
【図２】
2018188917.tif 000004
【図３】
2018188917.tif 000005
【図４】
2018188917.tif 000006
【図５】
2018188917.tif 000007